(57)【要約】【課題】、手書きで記入する必要がなく注文作業が面倒でないとともに、重くなく、また、嵩張ることのない注文用物品を提供する。【解決手段】ＣＤ−Ｒ１には、注文者を特定するための情報を入力するための注文者情報入力欄２０と、注文対象の商品について選択すべき選択肢が表示され、注文者により選択可能な情報選択欄３０と、注文すべき原稿を入力可能な原稿入力欄４０と、を有する注文書データ１０と、該情報選択欄３０で選択可能な選択肢を説明する説明欄を有する説明データと、を有する注文用データが記録されている。【選択図】図２
2009051189.tif 000002
【特許請求の範囲】
【請求項１】
商品を注文するための注文用データを記録する記録媒体であって、
該注文用データが、パーソナルコンピュータによりデータを画面に表示した状態で文字入力可能で、かつ、印刷可能な機能を有するアプリケーションソフトウエアのフォーマットにより作成され、
該注文用データが、注文者を特定するための情報を入力するための注文者情報入力欄と、注文対象の商品について選択すべき選択肢が表示され、注文者により選択可能な情報選択欄と、注文すべき原稿を入力可能な原稿入力欄と、を有する注文書データと、該情報選択欄で選択可能な選択肢を説明する説明欄を有する説明データと、を有し、
注文者が注文を行う場合には、該フォーマットのデータを読み取り可能なアプリケーションソフトウエアをパーソナルコンピュータで立ち上げた状態で、注文用データを表示し、情報選択欄において選択を行なうとともに、注文者情報入力欄や原稿入力欄に文字入力し、その後、注文書データを印刷可能であることを特徴とする記録媒体。
【請求項２】
上記注文用データが、パーソナルコンピュータによりメール送信可能な機能を有するアプリケーションソフトウエアのフォーマットにより作成され、
注文者が注文を行う場合には、該フォーマットのデータを読み取り可能なアプリケーションソフトウエアをパーソナルコンピュータで立ち上げた状態で、注文用データを表示し、情報選択欄において選択を行なうとともに、注文者情報入力欄や原稿入力欄に文字入力し、その後、注文書データをメールで送信可能であることを特徴とする請求項１に記載の記録媒体。
【請求項３】
上記説明データが、商品の写真画像を有していることを特徴とする請求項１又は２に記載の記録媒体。
【請求項４】
注文対象の商品が、ゴム印、印鑑、名刺、名札、封筒、伝票における少なくともいずれかであることを特徴とする請求項１又は２又は３に記載の記録媒体。
【請求項５】
商品がゴム印であり、情報選択欄における選択肢が、ゴム印の台木の種類と、文字サイズと、文字の書体について設けられていることを特徴とする請求項１又は２又は３に記載の記録媒体。
【請求項６】
商品が印鑑であり、情報選択欄における選択肢が、印鑑の素材と、印鑑のサイズと、印鑑の書体について設けられていることを特徴とする請求項１又は２又は３に記載の記録媒体。
【請求項７】
上記記録媒体が、ＣＤ−Ｒであることを特徴とする請求項１又は２又は３又は４又は５又は６に記載の記録媒体。
【発明の詳細な説明】
【技術分野】
【０００１】
本発明は、記録媒体に関するものであり、また、ゴム印、印鑑、名刺等の印刷関係物品の注文に用いる注文書に関するものである。
【背景技術】
【０００２】
従来より、ゴム印、印鑑、名刺等の印刷関係物品を注文する場合には、紙製の注文書が用意されていて、この注文書に所定の事項を記載した後に店舗等に注文書を提出することにより行なうのが通常であった。
【０００３】
また、特許文献１に示すように、カタログと、注文書と、書類ケースとを有する商品の注文書類セットが開示されている。
【特許文献１】特開２００３−１７０６７７号公報
【発明の開示】
【発明が解決しようとする課題】
【０００４】
しかし、上記のように、印刷関係物品を注文する場合に、注文書に所定事項を記載して注文を行う場合には、いちいち注文書に手書きで記入しなければならず、注文作業が面倒であるという問題があった。
【０００５】
また、上記特許文献１の場合にも、同様に、注文書に所定事項を手書きに記入しなければならず、注文作業が面倒であるとともに、カタログがセットされているために商品の注文書類セット自体が重く、かつ、嵩張ってしまうという問題があった。
【０００６】
そこで、本発明は、手書きで記入する必要がなく注文作業が面倒でないとともに、重くなく、また、嵩張ることのない注文用物品を提供することを目的とするものである。
【課題を解決するための手段】
【０００７】
本発明は上記問題点を解決するために創作されたものであって、第１には、商品を注文するための注文用データを記録する記録媒体であって、該注文用データが、パーソナルコンピュータによりデータを画面に表示した状態で文字入力可能で、かつ、印刷可能な機能を有するアプリケーションソフトウエアのフォーマットにより作成され、該注文用データが、注文者を特定するための情報を入力するための注文者情報入力欄と、注文対象の商品について選択すべき選択肢が表示され、注文者により選択可能な情報選択欄と、注文すべき原稿を入力可能な原稿入力欄と、を有する注文書データと、該情報選択欄で選択可能な選択肢を説明する説明欄を有する説明データと、を有し、注文者が注文を行う場合には、該フォーマットのデータを読み取り可能なアプリケーションソフトウエアをパーソナルコンピュータで立ち上げた状態で、注文書データを表示し、情報選択欄において選択を行なうとともに、注文者情報入力欄や原稿入力欄に文字入力し、その後、注文書データを印刷可能であることを特徴とする。
【０００８】
この第１の構成の記録媒体においては、パーソナルコンピュータにより上記アプリケーションソフトウエアを立ち上げた状態で、注文用データを画面に表示する。すると、注文書データには、注文者情報入力欄が表示されるので、注文者を特定するための情報（住所、名称（氏名）等）を入力する。また、情報選択欄には、注文対象の商品について選択すべき選択肢が表示されるので、注文者は選択肢の中から選択を行う。その際、説明データにおける説明欄には、各選択肢について説明しているので参考にすることができる。また、原稿入力欄には、注文すべき原稿を入力する。以上のようにして、入力が終わったら、注文書データを印刷し、印刷した注文書データを所定の注文先へＦＡＸ等で送信する。このようにして注文を行うことができる。
【０００９】
よって、注文用データを表示することにより、注文すべき原稿内容をパーソナルコンピュータによりキーボードにより入力することが可能となり、手書きで注文書に記入する必要がない。また、情報選択欄は、注文対象の商品について選択すべき選択肢が表示され、注文者により選択可能に構成されているので、選択作業が容易となる。さらには、該選択肢に関して、説明データにおいて、選択肢を説明しているので、選択肢の内容を分かりやすくでき、選択作業がより容易となる。以上のようにして、注文作業を容易に行うことができる。また、注文データが記録媒体に格納されているので、重くなく、かつ、嵩張ることがない。
【００１０】
また、第２には、上記第１の構成において、上記注文用データが、パーソナルコンピュータによりメール送信可能な機能を有するアプリケーションソフトウエアのフォーマットにより作成され、注文者が注文を行う場合には、該フォーマットのデータを読み取り可能なアプリケーションソフトウエアをパーソナルコンピュータで立ち上げた状態で、注文書データを表示し、情報選択欄において選択を行なうとともに、注文者情報入力欄や原稿入力欄に文字入力し、その後、注文書データをメールで送信可能であることを特徴とする。
【００１１】
これにより、注文先に注文書データをメールによっても送信することができ、メールによって注文を行うことが可能となる。
【００１２】
また、第３には、上記第１又は第２の構成において、上記説明データが、商品の写真画像を有していることを特徴とする。よって、選択肢の内容を分かりやすくでき、選択作業をより容易になるようにしている。
【００１３】
また、第４には、上記第１から第３までのいずれかの構成において、注文対象の商品が、ゴム印、印鑑、名刺、名札、封筒、伝票における少なくともいずれかであることを特徴とする。
【００１４】
また、第５には、上記第１から第３までのいずれかの構成において、商品がゴム印であり、情報選択欄における選択肢が、ゴム印の台木の種類と、文字サイズと、文字の書体について設けられていることを特徴とする。
【００１５】
また、第６には、上記第１から第３までのいずれかの構成において、商品が印鑑であり、情報選択欄における選択肢が、印鑑の素材と、印鑑のサイズと、印鑑の書体について設けられていることを特徴とする。
【００１６】
また、第７には、上記第１から第６までのいずれかの構成において、上記記録媒体が、ＣＤ−Ｒであることを特徴とする。
【発明の効果】
【００１７】
本発明に基づく記録媒体によれば、注文用データを表示することにより、注文すべき原稿内容をパーソナルコンピュータによりキーボードにより入力することが可能となり、手書きで注文書に記入する必要がない。また、情報選択欄は、注文対象の商品について選択すべき選択肢が表示され、注文者により選択可能に構成されているので、選択作業が容易となる。さらには、該選択肢に関して、説明データにおいて、選択肢を説明しているので、選択肢の内容を分かりやすくでき、選択作業がより容易となる。以上のようにして、注文作業を容易に行うことができる。また、注文データが記録媒体に格納されているので、重くなく、かつ、嵩張ることがない。
【発明を実施するための最良の形態】
【００１８】
本発明においては、手書きで記入する必要がなく注文作業が面倒でないとともに、重くなく、また、嵩張ることのない注文用物品を提供するという目的を以下のようにして実現した。
【００１９】
本発明に基づく記録媒体としてのＣＤ−Ｒ（ＣＤ  Ｒｅｃｏｒｄａｂｌｅ）１は、図１に示すように、そのデータ格納領域５に注文用データを各種格納しており、ゴム印を注文する際に使用するゴム印用データ５−１と、印鑑を注文する際に使用する印鑑用データ５−２等を有している。
【００２０】
なお、この注文用データは、パーソナルコンピュータ（以下パソコンとする）により文字入力可能に構成されており（つまり、注文用データの所定の領域には、ユーザにより文字入力可能となっている）、また、注文用データは、パソコンに接続されたプリンタにより印刷可能で、かつ、メールにより送信可能に形成されている。つまり、この注文用データは、文字入力機能や、印刷機能や、メール送信機能を有するアプリケーションソフトウエアのフォーマットにより構成されている。
【００２１】
ここで、ゴム印用データについて説明すると、注文用データとしてのゴム印用データ５−１は、図２に示す注文書データ１０と、図３に示す説明データ１１０とを有し、注文書データ１０の右側に説明データがつながった状態で作成されている。この注文書データ１０と、説明データ１１０は、例えば、表計算ソフトにより作成されている。つまり、表計算ソフトをパーソナルコンピュータにおいて起動させた状態でこのゴム印用データを開くと、コンピュータの画面には、注文書データ１０の右側に説明データ１１０がつながった状態で表示されることになる。
【００２２】
注文書データ１０は、図２に示すように、注文者情報入力欄２０と、情報選択欄３０と、原稿入力欄４０と、販売店情報表示欄５０と、日付入力欄６０と、原稿枚数入力欄６２とが設けられている。
【００２３】
ここで、注文者情報入力欄２０は、会社名、部署、担当者名、住所、電話番号、ＦＡＸ番号等が入力できるようになっている。つまり、この注文者情報入力欄２０には、注文者自身の情報を入力する。
【００２４】
また、情報選択欄３０は、注文対象の商品（この場合にはゴム印）について選択肢がプルダウンメニューにより選択可能に形成されていて、図２の例では、台木種類３２と、文字サイズ３４と、書体３６のそれぞれについて選択肢が設けられ選択できるように構成されている。
【００２５】
「台木種類」としては、「スーパーウッド（ＳＷ）」、「セレクト印」、「カラーボード」等の選択肢の中から選択できるようになっており、「文字サイズ」としては、「６号」、「５号」、「４号」等の選択肢の中から選択できるようになっており、「書体」としては、「明朝体」、「角ゴシック体」、「丸ゴシック体」等の選択肢の中から選択できるようになっている。
【００２６】
また、原稿入力欄４０は、注文したい原稿の内容を入力する欄であり、「原稿文字」の欄には、注文したい原稿の内容を入力し、「見本捺印欄」には、すでに注文したいゴム印等の印影見本がある場合（例えば、現在使用しているゴム印が古くなったので新しくする場合や、現在使用しているゴム印だけでは足らなくなったので新しくする場合）に、その印影見本を捺印するのに使用する。なお、注文したい原稿の内容を入力するには、コンピュータのキーボードにより入力すればよく、手書きの必要はない。
【００２７】
また、販売店情報表示欄５０は、本発明のＣＤ−Ｒ１を配布して注文を受ける販売店の情報を入力しておくものであり、ＣＤ−Ｒ１を配布する際には、この欄には販売店の情報を入力しておく。
【００２８】
また、説明データ１１０は、台木種類説明欄１２０と、文字サイズ説明欄１３０と、書体説明欄１４０とを有している。
【００２９】
ここで、台木種類説明欄１２０は、選択可能な台木の種類とその内容を説明するものであり、情報選択欄３０における台木種類３２において選択可能な台木についてそれぞれ説明するものである。特に、各台木の写真画像と、台木についての内容説明（サイズや素材等）を表示することにより、各台木の詳細が分かるようになっている。よって、注文者は、この台木種類説明欄１２０を見ることによって台木種類を選択する際の参考にすることができる。
【００３０】
また、文字サイズ説明欄１３０は、選択可能な文字サイズを説明するものであり、情報選択欄３０における文字サイズ３４において選択可能な文字サイズについて、具体的な文字の例（漢字の「事」）を示す等してそれぞれ説明するものである。よって、注文者は、この文字サイズ説明欄１３０を見ることによって文字サイズを選択する際の参考にすることができる。
【００３１】
また、書体説明欄１４０は、選択可能な書体を説明するものであり、情報選択欄３０における書体３６において選択可能な書体について、書体の実際の例を示すことによりそれぞれ説明するものである。よって、注文者は、この書体説明欄１４０を見ることによって書体を選択する際の参考にすることができる。
【００３２】
このゴム印用データを使用する場合の例を説明すると、ＣＤ−Ｒ１を受け取った注文者が、ゴム印を注文したい場合には、パソコンを用いて注文用データのフォーマットに対応したアプリケーションソフトウエアを立ち上げ、ゴム印用データを選択して表示する。すると、注文書データ１０と説明データ１１０とが表示される。
【００３３】
注文者は、まず、注文者情報入力欄２０に各事項を入力する。つまり、注文者を特定するための情報を入力する。その際、そのパソコンが有する文字入力機能を用いてキーボード等により入力すればよい。
【００３４】
次に、情報選択欄３０において、注文する物品について選択すべき項目を選択する。つまり、台木種類と、文字サイズと、書体のそれぞれについて選択を行う。その際には、説明データには、情報選択欄３０において選択すべき項目について、選択可能な内容についての説明があるので、注文者は参考とすることができる。
【００３５】
次に、原稿入力欄４０に注文したい原稿の内容を入力する。つまり、「原稿文字」の欄には、注文したい原稿の内容を入力する。例えば、「○×株式会社」との文字のゴム印を注文したい場合には、この欄に「○×株式会社」と入力する。この場合も、そのパソコンが有する文字入力機能を用いてキーボード等により入力すればよい。なお、この原稿入力欄４０には、右下欄に個数についての入力欄があるので、これも入力する。特に、要望事項があれば、「ご要望」欄に入力する。
【００３６】
そして、日付入力欄６０と原稿枚数入力欄６２とに所定の事項を入力する。
【００３７】
以上のようにして、必要事項の入力が完了したら、この注文書データ１０をプリントして所定の宛先（例えば、販売店情報表示欄５０に表示されたＦＡＸ番号）にＦＡＸ送信するか、あるいは、この注文書データ１０を所定の宛先（例えば、販売店情報表示欄５０に表示されたメールアドレス）にメール送信する。以上のようにして、注文を行うことができる。
【００３８】
なお、すでに注文したいゴム印等の印影見本がある場合に、注文者情報入力欄２０について入力し、情報選択欄３０において選択した後に、この注文書データ１０をプリントし、そのプリントした用紙における原稿入力欄４０の見本捺印欄にその印影見本により捺印した後に、所定の宛先にＦＡＸ送信すればよい。
【００３９】
なお、注文書データ１０と説明データ１１０とは、表示に際しては同時に表示されるものの、別々のデータであるので、注文書データ１０のみを印刷したり、メール送信することが可能である。
【００４０】
次に、印鑑用データについて説明する。印鑑用データには、「個人・単品用」、「法人・単品用」、「個人・セット用」、「法人・単品用」、「法人セット用」等があるが、以下では、「個人・単品用」の場合の印鑑用データについて説明する。
【００４１】
注文用データとしての印鑑用データは、図４に示す注文書データ２１０と、図５に示す説明データ３１０とを有し、注文書データ２１０の右側に説明データがつながった状態で作成されている。この注文書データ２１０と、説明データ３１０は、例えば、表計算ソフトにより作成されている。つまり、表計算ソフトをコンピュータ（例えば、パーソナルコンピュータ）において起動させた状態でこの印鑑用データを開くと、コンピュータの画面には、注文書データ２１０の右側に説明データ３１０がつながった状態で表示されることになる。
【００４２】
注文書データ２１０は、図４に示すように、注文者情報入力欄２２０と、情報選択欄２３０と、原稿入力欄２４０と、販売店情報表示欄２５０と、日付入力欄２６０と、原稿枚数入力欄２６２とが設けられている。
【００４３】
ここで、注文者情報入力欄２２０は、上記注文者情報入力欄２０と同様の構成であるので、詳しい説明を省略する。
【００４４】
また、情報選択欄２３０は、注文対象の商品（この場合には印鑑）について選択すべき項目がプルダウンメニューにより選択可能に形成されていて、図４の例では、印鑑素材２３２と、サイズ２３４と、書体２３６のそれぞれについて選択肢が設けられ選択できるように構成されている。
【００４５】
「印鑑素材」としては、「チタン」、「フィット印」、「スケルトン（オレンジ）」等の選択肢の中から選択できるようになっており、「サイズ」としては、「１８ｍｍ丸」、「１６．５ｍｍ丸」等の選択肢の中から選択できるようになっており、「書体」としては、「印相体」、「テン書体」等の選択肢の中から選択できるようになっている。
【００４６】
また、原稿入力欄２４０は、注文したい原稿の内容を入力する欄であり、実印と、銀行印と、認印のそれぞれの欄について注文したい印鑑の欄に所定の入力を行う。つまり、実印の場合には、フルネーム、姓又は名を入力し、銀行印の場合には、姓又は名を入力し、認印の場合には、姓を入力する。注文したい原稿の内容を入力するには、コンピュータのキーボードにより入力すればよく、手書きの必要はない。なお、すでに注文したい印鑑の印影見本がある場合（例えば、現在使用している印鑑が古くなったので新しくする場合や、現在使用している印鑑だけでは足らなくなったので新しくする場合）には、原稿入力欄２４０における希望する印鑑の種類の欄に捺印をする。
【００４７】
また、販売店情報表示欄２５０は、本発明のＣＤ−Ｒ１を配布して注文を受ける販売店の情報を入力しておくものであり、ＣＤ−Ｒ１を配布する際には、この欄には販売店の情報を入力しておく。
【００４８】
また、説明データ３１０は、印鑑素材説明欄３２０と、サイズ説明欄３３０と、書体説明欄３４０とを有している。
【００４９】
ここで、印鑑素材説明欄３２０は、選択可能な印鑑素材の種類とその内容を説明するものであり、情報選択欄２３０における印鑑素材２３２において選択可能な印鑑素材についてそれぞれ説明するものである。特に、各印鑑素材の写真画像と、印鑑素材についての内容説明（効能等）を表示することにより、各印鑑素材の詳細が分かるようになっている。よって、注文者は、この印鑑素材説明欄３２０を見ることによって印鑑素材を選択する際の参考にすることができる。
【００５０】
また、サイズ説明欄３３０は、選択可能な印鑑のサイズを説明するものであり、情報選択欄２３０におけるサイズ２３４において選択可能なサイズについて、印影の例を示す等してそれぞれ説明するものである。よって、注文者は、このサイズ説明欄３３０を見ることによってサイズを選択する際の参考にすることができる。
【００５１】
また、書体説明欄３４０は、選択可能な書体を説明するものであり、情報選択欄２３０における書体２３６において選択可能な書体について、印影の実際の例を示すことによりそれぞれ説明するものである。よって、注文者は、この書体説明欄３４０を見ることによって書体を選択する際の参考にすることができる。
【００５２】
この印鑑用データを使用する場合の例を説明すると、ＣＤ−Ｒ１を受け取った注文者が、印鑑を注文したい場合には、パソコンを用いて注文用データのフォーマットに対応したアプリケーションソフトウエアを立ち上げ、印鑑用データにおける「個人・単品」の場合の印鑑用データを選択して表示する。すると、注文書データ２１０と説明データ３１０とが表示される。
【００５３】
注文者は、まず、注文者情報入力欄２２０に各事項を入力する。つまり、注文者を特定するための情報を入力する。その際、そのパソコンが有する文字入力機能を用いてキーボード等により入力すればよい。
【００５４】
次に、情報選択欄２３０において、注文する物品について選択すべき項目を選択する。つまり、印鑑素材と、サイズと、書体のそれぞれについて選択を行う。その際には、説明データには、情報選択欄２３０において選択すべき項目について、選択可能な内容についての説明があるので、注文者は参考とすることができる。
【００５５】
次に、原稿入力欄２４０に注文したい原稿の内容を入力する。つまり、実印を注文したい場合には、実印の欄にフルネーム、姓又は名を入力し、銀行印を注文したい場合には、姓又は名を入力し、認印を注文したい場合には、姓を入力する。この場合も、そのパソコンが有する文字入力機能を用いてキーボード等により入力すればよい。なお、この原稿入力欄２４０には、右下欄に個数についての入力欄があるので、これも入力する。特に、要望事項があれば、「ご要望」欄に入力する。
【００５６】
そして、日付入力欄２６０と原稿枚数入力欄２６２とに所定の事項を入力する。
【００５７】
以上のようにして、必要事項の入力が完了したら、この注文書データ２１０をプリントして所定の宛先（例えば、販売店情報表示欄２５０に表示されたＦＡＸ番号）にＦＡＸ送信するか、あるいは、この注文書データ２１０を所定の宛先（例えば、販売店情報表示欄５０に表示されたメールアドレス）にメール送信する。以上のようにして、注文を行うことができる。
【００５８】
なお、すでに注文したい印鑑の印影見本がある場合に、注文者情報入力欄２２０について入力し、情報選択欄２３０において選択した後に、この注文書データ２１０をプリントし、そのプリントした用紙における原稿入力欄２４０にその印影見本により捺印した後に、所定の宛先にＦＡＸ送信すればよい。
【００５９】
なお、注文書データ２１０と説明データ３１０とは、表示に際しては同時に表示されるものの、別々のデータであるので、注文書データ２１０のみを印刷したり、メール送信することが可能である。
【００６０】
以上のように、本実施例のＣＤ−Ｒ１に記録されている注文用データによれば、パソコンにより文字入力可能な機能を有するアプリケーションソフトウエアのフォーマットにより作成されているので、該アプリケーションソフトウエアをパソコンで立ち上げた状態で、注文用データを表示することにより、注文すべき原稿内容をパソコンによりキーボードにより入力することが可能となり、手書きで注文書に記入する必要がない。また、書体やサイズ等選択すべき事項をプルダウンメニューにより選択可能としてあるので、選択作業も容易となる。さらには、該選択すべき事項に関して、説明データにおいて、写真画像等により内容を説明しているので、選択すべき各内容を分かりやすくでき、選択作業をより容易になるようにしている。以上のようにして、注文作業を容易に行うことができる。
【００６１】
また、本実施例においては、ゴム印用データ、印鑑用データ等の注文データがＣＤ−Ｒ１に格納されているので、重くなく、かつ、嵩張ることがない。
【００６２】
なお、上記の説明では、注文対象の商品として、ゴム印と、印鑑を例にとって説明したが、これらには限られず、「名刺」、「名札（ネームプレート）」、「封筒」、「伝票」、「賞状・盾」、「社名プレート」、「社員証」、「案内状」等であってもよい。
【００６３】
なお、名刺の場合には、情報選択欄には「作成」（新規かリピートか）、「用紙種類」、「印刷面（片面か両面か）」、「表印刷（レイアウト）」、「裏印刷（レイアウト）」、「文字色」、「書体」、「枚数」等について選択肢が設けられることになる。
【００６４】
また、名札（ネームプレート）の場合には、「種類」（一層タイプ、二層タイプ等）、「サイズ」、「素材色」、「文字色」、「レイアウト」、「書体」について選択肢が設けられることになる。
【００６５】
また、封筒の場合には、情報選択欄には「作成」（新規かリピートか）、「封筒の種類」、「用紙の種類」、「印刷位置」、「レイアウト」、「折シロ印刷」（折シロに印刷するか否か）、「文字色」、「書体」、「枚数」について選択肢が設けられる。
【００６６】
また、賞状・盾の場合には、情報選択欄には、「賞状用紙タイプ」、「用紙サイズ」、「文字」（印刷か毛筆か）、「盾の品番」について選択肢が設けられる。
【００６７】
また、社名プレートの場合には、「サイズ」、「デザインの種類」について選択肢が設けられることになる。
【００６８】
なお、上記の説明においては、記録媒体としてＣＤ−Ｒを例にとって説明したが、他の記録媒体でもよく、例えば、ＣＤ−ＲＯＭ、ＣＤ−ＲＷ、ＤＶＤであってもよい。
【図面の簡単な説明】
【００６９】
【図１】本発明の実施例に基づくＣＤ−Ｒの構成を示す説明図である。
【図２】ゴム印用データにおける注文書データの構成を示す説明図である。
【図３】ゴム印用データにおける説明データの構成を示す説明図である。
【図４】印鑑データ、特に、個人・単品の場合の印鑑データにおける注文書データの構成を示す説明図である。
【図５】印鑑データ、特に、個人・単品の場合の印鑑データにおける説明データの構成を示す説明図である。
【符号の説明】
【００７０】
１  ＣＤ−Ｒ
５  データ格納領域
５  ゴム印用データ
５−２  印鑑用データ
１０、２１０  注文書データ
２０、２２０  注文者情報入力欄
３０、２３０  情報選択欄
４０、２４０  原稿入力欄
５０、２５０  販売店情報表示欄
１１０、３１０  説明データ
１２０  台木種類説明欄
１３０  文字サイズ説明欄
１４０  書体説明欄
３２０  印鑑素材説明欄
３３０  サイズ説明欄
３４０  書体説明欄
【図１】
2009051189.tif 000003
【図２】
2009051189.tif 000004
【図３】
2009051189.tif 000005
【図４】
2009051189.tif 000006
【図５】
2009051189.tif 000007